(57)【要約】【課題】裏表紙側に繰越し時の印字対象ページがあるタイプの通帳の繰越し動作の手間を軽減できる。【解決手段】通帳発行カセット１５から裏表紙が印字面となるように通帳が繰出されて、捲り部１７で１枚捲ることで印字対象ページにして通帳印字部１６で印字する。一括閉じ部１９で通帳を一括で閉じて表紙を印字面にして通帳印字部１６で印字する。捲り部１７で複数枚捲ることで明細ページにして通帳印字部１６で印字する。【選択図】  図１
2019128884.tif 000002
【特許請求の範囲】
【請求項１】
通帳の裏表紙が印字面となるように該通帳を繰出し、
前記裏表紙に対してページ捲りを行うことで繰越時の特定印字対象ページを出した状態の該通帳を、天地ターンし、
該特定印字対象ページに対して所定の印字を行い、
該通帳の表紙が印字面となるように該通帳を閉じ、
該表紙に対して所定の印字を行い、
該表紙から明細ページとなるまで複数回のページ捲りを行い、
該明細ページに応じた所定の印字動作を行うことを特徴とする通帳繰越方法。
【請求項２】
前記通帳の表紙が印字面となるように該通帳を閉じる動作は、通帳を一括で閉じる動作であることを特徴する請求項１記載の通帳繰越方法。
【請求項３】
前記通帳の表紙が印字面となるように該通帳を閉じる動作は、前記特定印字対象ページから前記表紙まで１ページずつ逆方向に捲っていく動作であることを特徴とする請求項１記載の通帳繰越方法。
【請求項４】
前記繰越時の特定印字対象ページは、見返しページであることを特徴とする請求項１〜３の何れかに記載の通帳繰越方法。
【請求項５】
繰越し用の通帳がセットされている通帳発行カセットと、
通帳に対して任意の印字動作を行う通帳印字部と、
通帳に対して一度に１ページのページ捲りを行うページ捲り部と、
通帳に対して天地ターン行うターン部と、
開いた状態の通帳を一括で閉じる一括閉じ部と、
制御装置とを有し、
該制御装置は、
前記通帳発行カセットから繰り出された、裏表紙が印字面となっている通帳に対して、前記ページ捲り部と前記ターン部により繰越時の特定印字対象ページにして前記通帳印字部による印字を実行させた後、通帳の表紙が印字面となるように前記一括閉じ部によって通帳を一括で閉じさせて該通帳の表紙に対して前記通帳印字部による印字を実行させることを特徴とする通帳処理装置。
【請求項６】
繰越し用の通帳がセットされている通帳発行カセットと、
通帳に対して任意の印字動作を行う通帳印字部と、
通帳に対して一度に１ページのページ捲りを行うページ捲り部と、
通帳に対して天地ターン行うターン部と、
開いた状態の通帳を一括で閉じる一括閉じ部と、
制御装置とを有し、
該制御装置は、
前記通帳発行カセットから繰り出された、裏表紙が印字面となっている通帳に対して、前記ページ捲り部によりページ捲りを実行させることで繰越時の特定印字対象ページを出した状態とする第１制御部と、
該通帳に対して前記ターン部による天地ターンを実行させる第２制御部と、
該天地ターン実行後の前記特定印字対象ページに対して前記通帳印字部による印字を実行させる第３制御部と、
該印字後、通帳の表紙が印字面となるように前記一括閉じ部によって通帳を一括で閉じさせる第４制御部と、
該通帳の表紙に対して前記通帳印字部による印字を実行させる第５制御部と、
該通帳の印字面が前記表紙から明細ページとなるまで、前記ページ捲り部によって正方向へのページ捲りを複数回実行させる第６制御部と、
該明細ページに対して前記通帳印字部による印字を実行させる第７制御部と、
を有することを特徴とする通帳処理装置。
【請求項７】
繰越し用の通帳がセットされている通帳発行カセットと、
通帳に対して任意の印字動作を行う通帳印字部と、
通帳に対して一度に１ページのページ捲りを行うページ捲り部と、
通帳に対して天地ターン行うターン部と、
制御装置とを有し、
該制御装置は、
前記通帳発行カセットから繰り出された、裏表紙が印字面となっている通帳に対して、前記ページ捲り部と前記ターン部により繰越時の特定印字対象ページにして前記通帳印字部による印字を実行させた後、通帳の表紙が印字面となるまで前記ページ捲り部で逆方向へのページ捲りを複数回実行させ、該通帳の表紙に対して前記通帳印字部による印字を実行させることを特徴とする通帳処理装置。
【請求項８】
繰越し用の通帳がセットされている通帳発行カセットと、
通帳に対して任意の印字動作を行う通帳印字部と、
通帳に対して一度に１ページのページ捲りを行うページ捲り部と、
通帳に対して天地ターン行うターン部と、
制御装置とを有し、
該制御装置は、
前記通帳発行カセットから繰り出された、裏表紙が印字面となっている通帳に対して、前記ページ捲り部によりページ捲りを実行させることで繰越時の特定印字対象ページを出した状態とする第１制御部と、
該通帳に対して前記ターン部による天地ターンを実行させる第２制御部と、
該天地ターン実行後の前記特定印字対象ページに対して前記通帳印字部による印字を実行させる第３制御部と、
該印字後、前記ページ捲り部で逆方向へのページ捲りを複数回実行させることで通帳の表紙が印字面となるようにする第８制御部と、
該通帳の表紙に対して前記通帳印字部による印字を実行させる第５制御部と、
該通帳の印字面が前記表紙から明細ページとなるまで、前記ページ捲り部によって正方向へのページ捲りを複数回実行させる第６制御部と、
該明細ページに対して前記通帳印字部による印字を実行させる第７制御部と、
を有することを特徴とする通帳処理装置。
【発明の詳細な説明】
【技術分野】
【０００１】
本発明は、通帳の繰越しに関する。
【背景技術】
【０００２】
銀行などに設置される現金自動預け払い機（ＡＴＭ：Ａｕｔｏｍａｔｉｃ  Ｔｅｌｌｅｒ  Ｍａｃｈｉｎｅ）等の自動取引装置は、入金、出金などの様々な取引を行うことが出来、また、通帳の記帳や、通帳の繰越し等も行うことができる。ＡＴＭは、通帳の明細ページに取引の内容を印字する。その際、通帳の明細ページ（その最後のページ）に取引の内容を印字するための余白が無くなった場合には、通帳の繰り越しを行う。つまり、ＡＴＭは、既存の通帳に印字できなかった分の取引の内容を、新しい通帳に印字をして顧客に新しい通帳を発行する。その際、明細ページだけではなく、通帳における所定箇所への所定の印字も行う。これについて、例えば、特許文献１に記載されている。
【０００３】
特許文献１に記載されている例では、通帳は、表紙、裏表紙、および取引の内容が印字される明細ページを含む中紙が綴られた冊子状媒体である。そして、裏表紙には磁気ストライプが形成され、表紙を１枚めくったページである見返しページ、取引内容を印字される明細ページなどを含む中紙には、情報コードが形成される。そして、通帳の新規発行の際や上記通帳の繰り越しを行う際には、新たな通帳に対して、表紙への顧客名や口座番号などの印字→表紙めくり→見返しページへの顧客名や口座番号などの印字→見返しページめくり→明細ページへの取引内容の印字を行う。
【０００４】
この様に、通帳の繰越しの際には、明細ページへの取引内容の印字を行うだけでなく、表紙への印字と見返しページへの印字を行う必要があった。
【先行技術文献】
【特許文献】
【０００５】
【特許文献１】特開２０１４−６９１９号公報（特に段落００３１,００３４，００３７等）
【発明の概要】
【発明が解決しようとする課題】
【０００６】
特許文献１の場合、上記のように、対象となる通帳は、表紙を１枚めくったページが見返しページであるタイプである。しかしながら、通帳は、この様なタイプに限らない。例えば、裏表紙を１枚めくったページが見返しページであるタイプの通帳（裏表紙側に見返しページがあるタイプの通帳；以下、裏タイプの通帳と呼ぶものとする）も存在している。尚、見返しページは、繰越し時に明細ページ以外で印字対象となるページの一例と見做してよい。
【０００７】
図１３は、この様な裏タイプの通帳について説明する為の図である。
尚、ここでは一例として、普通預金通帳を例にするが、通帳の種類としては他にも定期預金通帳、総合口座通帳などが知られている。
【０００８】
裏タイプの通帳では、まず図１３（ａ）に示すように通帳が閉じた状態且つ表紙が上側の状態から表紙を捲ると図１３（ｂ）に示す見開きページがあり、続いて図１３（ｃ）に示す明細ページ群（複数枚；本例では６ページ分）があり、続いて図１３（ｄ）に示す約款のページがあり、最後に図１３（ｅ）の見返しページがある。見返しページから更に１枚捲ると、図１３（ｆ）に示す裏表紙（通帳が閉じた状態）となる。裏表紙には磁気ストライプがある。
【０００９】
従来では、裏タイプの通帳の場合、通帳の繰越しを行う際に、以下に説明するように、所定の印字を行う為に必要なページ捲り回数が多かった（それ故、時間が掛かっていた）。以下、図１４、図１５、図１６を参照して、従来の通帳の繰越し時の処理動作について説明する。
【００１０】
図１４、図１５、図１６は、従来の通帳の繰越時の処理動作について説明する為の図（その１）（その２）（その３）である。
【００１１】
尚、図１４、図１５、図１６において、図上の左側には、上側から見た（通帳印字部１０２から見た）通帳の状態を示し、図上の右側には不図示の制御部（ＣＰＵ等）による制御処理を示すフローチャートを示す。
【００１２】
まず、予め、図１４（ａ）に示す形で発行通帳Ｐが通帳発行カセット１０１にセットされている。これは保守作業員等が手作業でセットする。尚、図ではセットされている発行通帳Ｐは１冊であるが、通常は複数冊セットされる。図示のように、発行通帳Ｐは通帳閉じ部を下にして通帳発行カセット１０１にセットされる。
【００１３】
尚、ここでは、発行通帳Ｐの表面（表紙）が図示の右側になるようにセットされると、図１４（ｂ）に示すように発行通帳Ｐを繰り出すと（通帳印字部１０２の直下まで搬送すると）発行通帳Ｐの表面が上側（印字面）となるように構成されているものとする。
【００１４】
ここで、図１４（ｂ）には、上記通帳発行カセット１０１を含む通帳発行ユニット１００の概略構成を示す。通帳発行ユニット１００には上記通帳発行カセット１０１と、図示の通帳印字部１０２、通帳搬送路１０３、通帳挿入／放出口１０４等と、更にページ捲り部１０５等が備えられる。ページ捲り部１０５は、１ページずつページ捲りを行える機構を備えている。
【００１５】
そして、上記不図示の制御部は、通帳の繰越しを行うものと判定した場合には、まず、上記通帳発行カセット１０１から一冊の発行通帳Ｐを繰出して、通帳搬送路１０３上を通帳印字部１０２の直下まで搬送する制御を行う（ステップＳ１０１）。上記のように発行通帳Ｐの表紙が上側（印字面）となっているので、図１４（ｃ）に示すように、発行通帳Ｐの表紙に対して通帳印字部１０２によって所定の印字（口座番号、氏名等の印字）を行う（ステップＳ１０２）。
【００１６】
その後は、概略的には、ページ捲り部１０５によってページ捲りが行われながら所定のページに対して通帳印字部１０２による印字が行われる。そして、印字完了したら、取引内容の印字が行われた明細ページが見える形で通帳挿入／放出口１０４から放出されることになる。これについて、以下、詳しく説明する。
【００１７】
すなわち、まず、上記表紙への印字が完了すると、続いて、ページ捲り部１０５によって見返しページとなるまで１ページずつ順次正方向へのページ捲りが行われる（ステップＳ１０３）。これは、まず、表紙から１ページ捲ると、図１４（ｄ）に示す状態すなわち見開きページとなる。更に、ページ捲り部１０５によってページ捲りが行われると、明細ページとなる。明細ページは複数ページ（本例では６ページ分）あり、図１５（ａ）に示すように複数の明細ページについて順次ページ捲りが行われて、最後の明細ページに対してページ捲りが行われると図１５（ｂ）の約款のページとなる。この約款ページに対してページ捲りが行われることで、図１５（ｃ）の見返しページとなる。
【００１８】
これより、図１５（ｄ）に示すように、この見返しページに対して、通帳印字部１０２によって口座番号と氏名などを印字する（ステップＳ１０４）。
【００１９】
そして、最後に明細ページへの取引内容の印字を行う為に、ページ捲り部１０５によって明細ページの先頭ページとなるまで１ページずつ順次逆方向へのページ捲りが行われる（ステップＳ１５）。これは、まず、見返しページにおいて逆方向に１ページ分捲ることで、図１６（ａ）に示す状態（約款のページ）となる。
【００２０】
続いて、図１６（ｂ）に示すように明細ページの先頭ページになるまで順次、明細ページを１ページずつ逆方向に捲っていく。そして、図１６（ｃ）に示すように、明細ページの先頭ページにおいて取引内容の印字を行う（ステップＳ１０６）。仮に取引内容のデータ量が多い為に１ページでは印字し切れない場合には、ページ捲り部１０５によって正方向に１ページ分のページ捲りが行われて（ステップＳ１０７）、図１６（ｄ）に示すように取引内容データの残りが印字されることになる（ステップＳ１０８）。
【００２１】
以上で、通帳繰越し時に必要な印字処理が行われることになり、通帳は通帳挿入／放出口１０４から放出される（ステップＳ１０９）。顧客に対しては明細ページ群における取引内容データの最終印字行のページが開いた状態で、通帳が渡されることになる。
【００２２】
上述した例では、まず、表紙から見返しページまでに９回のページ捲りが行われ、見返しページから明細ページの先頭ページとするまでに７回のページ捲りが行われ、明細ページの先頭ページから２ページ目とする為の１回のページ捲りが行われる。従って、９回＋７回＋１回で合計１７回のページ捲りを行う必要があった。
【００２３】
上述したように、裏タイプの通帳、すなわち裏表紙側に見返しページ（明細ページ以外の印字対象ページの例）があるタイプの通帳を用いる場合には、繰越しの際に必要な印字を行う為には多くの工数が掛かることになる（ページ捲り回数が非常に多くなる）。
【００２４】
本発明の課題は、裏表紙側に繰越し時の印字対象ページがあるタイプの通帳の繰越し動作の手間を軽減できる通帳繰越方法、通帳処理装置などを提供することである。
【課題を解決するための手段】
【００２５】
本発明の通帳繰越方法は、通帳の裏表紙が印字面となるように該通帳を繰出し、前記裏表紙に対してページ捲りを行うことで繰越時の印字対象ページを出した状態の該通帳を、天地ターンし、該印字対象ページに対して所定の印字を行い、該通帳の表紙が印字面となるように該通帳を閉じ、該表紙に対して所定の印字を行い、該表紙から明細ページとなるまで複数回のページ捲りを行い、該明細ページに応じた所定の印字動作を行う。
【発明の効果】
【００２６】
本発明の通帳繰越方法、通帳処理装置などによれば、裏表紙側に繰越し時の印字対象ページがあるタイプの通帳の繰越し動作の手間を軽減できる。
【図面の簡単な説明】
【００２７】
【図１】実施例１の通帳処理装置の構成図である。
【図２】実施例１による繰越し動作を説明する為の図（その１）である。
【図３】実施例１による繰越し動作を説明する為の図（その２）である。
【図４】実施例１による繰越し動作を説明する為の図（その３）である。
【図５】（ａ）（ｂ）は、一括閉じ部の構成図である。
【図６】（ａ）〜（ｃ）は、一括閉じ部の動作例（１／２）である。
【図７】（ａ）〜（ｃ）は、一括閉じ部の動作例（２／２）である。
【図８】実施例２の通帳処理装置の構成図である。
【図９】実施例２の繰越し動作を説明する為の図（その１）である。
【図１０】実施例２の繰越し動作を説明する為の図（その２）である。
【図１１】実施例２の繰越し動作を説明する為の図（その３）である。
【図１２】（ａ）（ｂ）は通帳処理装置の制御装置の機能ブロック図である。
【図１３】（ａ）〜（ｆ）は、裏タイプの通帳について説明する為の図である。
【図１４】従来の通帳の繰越時の処理動作について説明する為の図（その１）である。
【図１５】従来の通帳の繰越時の処理動作について説明する為の図（その２）である。
【図１６】従来の通帳の繰越時の処理動作について説明する為の図（その３）である。
【発明を実施するための形態】
【００２８】
以下、図面を参照して本発明の実施の形態について説明する。
図１は、実施例１の通帳処理装置の構成図である。
【００２９】
図示の通帳処理装置（通帳処理ユニット１０）は、制御部１１、通帳挿入／放出口１２、通帳搬送路１３、磁気部１４、通帳発行カセット１５、通帳印字部１６、捲り部１７、ターン部１８、一括閉じ部１９、複数の搬送ローラ２０等を有する。
【００３０】
尚、通帳処理装置（通帳処理ユニット１０）は、一般的に、例えばＡＴＭ内に搭載されているか、あるいは、通帳記帳機（通帳の印字・繰越し専用の装置）内に搭載されている。
【００３１】
また、本例では通帳Ｐは上述した「裏表紙側に繰越し時の印字対象ページ（明細ページ以外で）があるタイプの通帳」（裏タイプの通帳）であるものとする。また、本例では一例として、普通預金通帳を例にするが、通帳の種類としては他にも定期預金通帳、総合口座通帳などが知られている。そして、本手法による繰越し動作の手間（工数；ページ捲り回数）を軽減できる効果は、普通預金通帳の場合に限らず、定期預金通帳、総合口座通帳などであっても同様にして得られる。
【００３２】
尚、本例では、繰越し時の印字対象ページ（表紙や明細ページ以外で）の一例が、見返しページであるものとする。
【００３３】
制御部１１は、通帳処理ユニット１０全体を制御する中央処理装置であり、例えば不図示のＣＰＵ等の演算プロセッサ、メモリ等の記憶部等を有する。制御部１１は、例えば、搬送ローラ２０を駆動制御して、通帳Ｐを通帳搬送路１３上の任意の位置へと移動させる。例えば、通帳Ｐを通帳印字部１６の直下の位置まで移動させる。そして、制御部１１は、例えば、通帳印字部１６を制御して、通帳Ｐに対する任意の印字を行わせる。
【００３４】
制御部１１は、例えば、捲り部１７を制御して、通帳Ｐのページ捲り（１ページずつ、正方向または逆方向に捲る）を行わせる。制御部１１は、例えば、ターン部１８を制御して、通帳Ｐの水平方向での天地ターンを行わせる。制御部１１は、例えば、一括閉じ部１９を制御して、通帳Ｐの一括閉じ動作（後述する）を行わせる。
【００３５】
制御部１１は、上記不図示の記憶部に予め記憶されている所定のアプリケーションプログラムを、上記不図示の演算プロセッサが実行することで、例えば上述した処理や後述するフローチャートの処理を実現する。
【００３６】
通帳挿入／放出口１２は、記帳の対象となる通帳Ｐの挿入や記帳済みの通帳Ｐの排出に用いられる。尚、図示していないが、通帳挿入／放出口１２の近傍には、挿入された通帳を検出するためのセンサーが設けられている。
【００３７】
磁気部１４は、通帳Ｐに設けられた磁気ストライプに記録された情報の読み取りあるいは記録された情報の更新を行う。通帳印字部１６は、通帳Ｐへの記帳を行うための印字装置である。
【００３８】
捲り部１７は、通帳Ｐのページを捲るための装置である。これは、正方向または逆方向に１ページずつ捲るように構成されている。通帳印字部１６による通帳Ｐの任意のページに対する取引明細の印字処理中に、そのページに取引明細を印字できるスペースが無くなったら、印字を中断して、通帳Ｐを捲り部１７の位置へと搬送して１ページ分のページ捲りが行われてから通帳印字部１６の位置まで戻して、印字が再開される。
【００３９】
通帳発行カセット１５には、繰越し用の通帳Ｐが１冊以上セットされる。ターン部１８は、通帳Ｐの水平方向での天地ターンを行う。一括閉じ部１９は、通帳Ｐの一括閉じ動作（後述する）を行う。
【００４０】
尚、図示していないが、通帳Ｐの画像の読み取りを行う不図示の撮像部を更に有していてもよい。この場合、制御部１１は、撮影画像の画像認識を行って通帳Ｐの現在のページを判別できる機能を更に有していても良い。
【００４１】
従来から通常は、明細ページ群の最後のページを印字中に取引明細を印字できるスペースが無くなったら、通帳の繰越しを行う。繰越し動作では印字済みの通帳Ｐを通帳挿入／放出口１２から放出して顧客に戻し、通帳発行カセット１５から新たな通帳（未記帳）を繰出して残りの印字を行ってから、この新たな通帳も通帳挿入／放出口１２から放出して顧客に戻す。但し、この例に限らず、印字済みの通帳Ｐを不図示の退避部に退避させ、新たな通帳Ｐを印字完了後にこれら２冊の通帳Ｐを一緒に通帳挿入／放出口１２から放出して顧客に戻すようにしてもよい。
【００４２】
本手法では、この繰越し動作の効率化（ページ捲り回数の削減）を実現できる。以下、図２〜図４を参照して、本手法の実施例１による繰越し動作について説明する。
【００４３】
尚、図２（ｂ）（ｃ）、図３（ａ）〜（ｃ）、図４（ａ）〜（ｄ）では、図上の左側には、通帳の状態（特に図２（ｃ）以降は上側から見た状態）を示し、図上の右側には制御部１１の処理フローチャートを示す。
【００４４】
まず、図２（ａ）には、通帳発行カセット１５に対する繰越し用の通帳Ｐのセット方法を示す。尚、繰越し用の通帳Ｐは、未だ何も印字等されていない通帳Ｐであり、発行通帳Ｐと記す場合もあるものとする。
【００４５】
上記のように、通帳発行カセット１５には予め１冊以上の繰越し用の通帳Ｐ（発行通帳Ｐ）がセットされるが、そのセット方法は従来とは異なる。すなわち、図２（ａ）に示すように、発行通帳Ｐの閉じ部を下側にしてセットする点は従来と同じであるが、発行通帳Ｐの裏面（裏表紙）が図上の右側となるようにセットする点で、従来とは異なる。従来では、発行通帳Ｐの表紙が右側となるようにセットされることで、表紙が上側（印字面）となって印字部の直下へと搬送された。
【００４６】
これに対して、本例では上記のようにセットされることで、通帳発行カセット１５から搬出された発行通帳Ｐは、裏表紙が上側（印字面）となって通帳印字部１６の直下に搬送されることになる（図２（ｂ）（ｃ））。尚、図２（ｂ）には発行通帳Ｐが通帳発行カセット１５から通帳印字部１６の直下に搬送される様子を示し、図２（ｃ）には搬送後の発行通帳Ｐの状態を上側から見た様子を示す。
【００４７】
制御部１１は、通帳の繰越しを行うと判定したら、上記のように印字済みの通帳Ｐを排出／退避等した後、まず、上記図２（ｂ）に示すように通帳発行カセット１５から一冊の発行通帳Ｐを搬出して図２（ｃ）に示す状態とする（ステップＳ１１）。そして、図２（ｃ）に示す状態の発行通帳Ｐを捲り部１７へ搬送して、捲り部１７で正方向に１ページのページ捲りを行わせる（ステップＳ１２）。これによって発行通帳Ｐは図３（ａ）に示すように、見返しページが開いた状態で且つ上下逆の状態となっている。続いて、制御部１１は、ターン部１８によって発行通帳Ｐを水平方向に天地ターンし（上下を逆転する；ステップＳ１３）、更に通帳印字部１６により見返しページに対する所定の印字（口座番号と氏名を印字）を行わせる（ステップＳ１４；図３（ｂ））。
【００４８】
続いて、制御部１１は、一括閉じ部１９によって通帳の見返しページから表紙までのページ群を一括で閉じることで（図３（ｃ）；ステップＳ１５）、通帳Ｐは、閉じた状態且つ表紙が上側の状態となる。この状態で制御部１１は、通帳印字部１６により表紙に対する所定の印字（口座番号と氏名を印字）を行わせる（図４（ａ）；ステップＳ１６）。
【００４９】
続いて、制御部１１は、捲り部１７によって正方向への数ページ分（明細ページ群の先頭ページになるまで）のページ捲りを行わせる（図４（ｂ）；ステップＳ１７）。そして、この状態で制御部１１は、通帳印字部１６により明細ページに対する印字（取引内容の印字）を行わせる（図４（ｃ）；ステップＳ１８）。
【００５０】
基本的には以上で繰越し処理は終了するが、図示の例では明細ページ群の先頭ページ全てに印字しても、取引内容の全てを印字できなかったものとし、捲り部１７で正方向へ１ページのページ捲りを行わせる（ステップＳ１９）。そして、この状態で制御部１１は、通帳印字部１６により明細ページ（明細ページの２頁目；全体では３ページ）に対する印字（取引内容の印字）を行わせる（図４（ｄ）；ステップＳ２０）。
【００５１】
本例では以上で明細ページへの印字を完了したものとし、最後に、この通帳Ｐを通帳挿入／放出口１２から放出して（ステップＳ２１）、繰越し処理を終了とする。
【００５２】
上述した実施例１では、捲り部１７によるページ捲りの回数は、裏表紙から見返しページとする為の１回と、表紙から明細ページの先頭ページとする為の２回と、明細ページの先頭ページから次のページとする為の１回の合計４回のみであり、従来の１７回に比べて格段にページ捲り回数が少なくて済む。この４回に、一括閉じ部１９の一括閉じ動作とターン部１８の天地ターン動作が加わっても、従来に比べて、工数が非常に少なくて済み、以って短時間で繰越しが完了することになる。
【００５３】
ここで、上記ターン部１８は、例えば参考文献（特開平９−３２０００９号公報、特開２０１７−１３８６７２号公報、特開２０００−２９３７３４号公報）に記載のように既存の構成であるので、ここでは特に詳細な構成等を図示・説明しない。参考文献に記載のように、一度に１８０°ターンを行う構成もあれば、９０°ターンを２回行うことで１８０°ターンを実現する構成もある。
【００５４】
以下、一括閉じ部１９の詳細構成例について説明する。
図５（ａ）（ｂ）は、一括閉じ部１９の構成図である。
図５（ａ）は一括閉じ部１９の側面図、図５（ｂ）は一括閉じ部１９の上面図である。
図５（ａ）に示すように一括閉じ部１９は、通帳搬送路１３下の任意の位置に埋め込まれる形で設けられている。
【００５５】
図示の例の一括閉じ部１９は、図５（ａ）に示す一点鎖線により線対称の構成を有している。図５（ａ）における右側には、通帳捲りバーＡ３１、この通帳捲りバーＡ３１を駆動する通帳捲りバー用駆動モーターＡ３２、通帳捲りバーＡ３１がホームポジションにあるか否かを検知する通帳捲りバー用検知センサーＡ３３を有している。同様にして、図５（ａ）における左側には、通帳捲りバーＢ３４、この通帳捲りバーＢ３４を駆動する通帳捲りバー用駆動モーターＢ３５、通帳捲りバーＢ３４がホームポジションにあるか否かを検知する通帳捲りバー用検知センサーＢ３６を有している。
【００５６】
尚、ホームポジションとは、通帳捲りバーＡ３１、通帳捲りバーＢ３４とも図５（ａ）に示す位置（水平方向）を意味する。
【００５７】
上記一括閉じ部１９の上記各構成は、例えば通帳搬送路１３下に埋め込まれる形で設置されている。例えば、通帳搬送路１３下には、通帳捲りバーＡ３１、通帳捲りバーＢ３４が、図５（ａ）に示す位置に成り得るようにする空間が設けられている。他の構成についても同様である。
【００５８】
通帳捲りバーＡ３１は、通帳捲りバー用駆動モーターＡ３２によって図５（ａ）に矢印で示すように回動可能となっている。通帳捲りバーＢ３４は、通帳捲りバー用駆動モーターＢ３５によって図５（ａ）に矢印で示すように回動可能となっている。
【００５９】
通帳捲りバーＢ３４は、図５（ａ）に示す位置（ホームポジション）から時計回りに回動可能で、例えば後述するようにホームポジションから９０°分、右回転可能となっている。換言すれば、水平ポジションから垂直ポジションとなるように回動可能となっている。勿論、その逆に、９０°の位置（垂直ポジション）からホームポジション（水平ポジション）に戻すこともできる（９０°の位置から反時計周りに９０°回動可能である）。
【００６０】
また、通帳捲りバーＡ３１は、ホームポジションから反時計回りに回動可能で、例えば後述するようにホームポジションから最大で１３５°分、左回転可能となっている。勿論、１３５°の位置からホームポジションに戻すこともできる（１３５°の位置から反時計周りに１３５°回動可能である）。勿論、通帳捲りバーＡ３１も垂直ポジションとすることもできる。
【００６１】
尚、通帳捲りバー用検知センサーＡ３３は、通帳捲りバーＡ３１がホームポジションにあるか否かを検知する。同様に、通帳捲りバー用検知センサーＢ３６は、通帳捲りバーＢ３４がホームポジションにあるか否かを検知する。
【００６２】
上記一括閉じ部１９の上記各構成について、以下、更に、図５（ｂ）を参照して説明する。通帳Ｐは、任意のページ（本例では見返しページ）が開いた状態で通帳搬送路１３上を搬送されてきて例えば図１６（ｂ）に示す位置で停止するようになっている。図示のように、通帳Ｐは、開いたページの一方が通帳捲りバーＡ３１上に、他方が通帳捲りバーＢ３４上に位置するようになっている。本例では特に、通帳Ｐの上記見返しページが開いた状態で図示の状態になるものとする。従って、通帳捲りバーＡ３１上には通帳Ｐの表紙から見返しページまでの全てのページが載ることになり、通帳捲りバーＢ３４上には通帳Ｐの裏表紙のみが載ることになる。従って、たとえば通帳捲りバーＡ３１をホームポジションから反時計回りに回動すると、これに伴って通帳Ｐの表紙から見返しページまでの全てのページが回動する（纏めて捲られる）ことになる。
【００６３】
以上説明した構成の一括閉じ部１９による通帳Ｐの一括閉じ動作について、図６、図７を参照して説明する。
【００６４】
図６（ａ）〜（ｃ）、図７（ａ）〜（ｃ）は、一括閉じ部１９の動作例である。尚、図６、図７は、１つの動作例を２つの図面に分けて示している。
【００６５】
まず、図６（ａ）に示す状態、すなわち上記図５（ｂ）で説明した状態となるものとする。上記の通り、通帳Ｐの見返しページが開いた状態となっており、通帳Ｐの表紙から見返しページまでの全ページが通帳捲りバーＡ３１上に載り、裏表紙が通帳捲りバーＢ３４上に載っている。
【００６６】
この状態から、まず、図６（ｂ）に示すように、通帳捲りバーＡ３１、通帳捲りバーＢ３４を、それぞれ、上記ホームポジションから９０°回動させる。これは、上記の通り、通帳捲りバーＡ３１は反時計廻り、通帳捲りバーＢ３４は時計廻りで回動させる。これより通帳捲りバーＡ３１、通帳捲りバーＢ３４は、図６（ｂ）に示す状態（垂直ポジション）となる。これに伴って、通帳Ｐは図６（ｂ）に示す状態となる。すなわち、通帳Ｐの表紙から見返しページまでの全ページが、上記通帳捲りバーＡ３１の回動に伴って図示のように纏めて上側に捲られた状態となっている。同様に、通帳Ｐの裏表紙が、上記通帳捲りバーＢ３４の回動に伴って図示のように上側に捲られた状態となっている。
【００６７】
この状態で、続いて、通帳捲りバーＡ３１、通帳捲りバーＢ３４の両方とも、現在位置（垂直ポジション）から反時計廻りに４５°回動させることで、図６（ｃ）に示す状態とする。尚、図６（ｃ）に示す状態は、通帳捲りバーＡ３１はホームポジションから反時計廻りに１３５°回動させた位置、通帳捲りバーＢ３４はホームポジションから時計廻りに４５°回動させた位置と言うこともできる。これより、図６（ｃ）に示すように、通帳Ｐは全てのページが纏まって左寄りになっている。この状態から更に通帳捲りバーＢ３４をホームポジションに戻るように回動させることで、図７（ａ）に示すように、通帳が閉じた状態となる。
【００６８】
図７（ａ）に示す状態では、通帳Ｐは、表紙が上面、裏表紙が底となる形で閉じた状態となっている。つまり、以上の動作により、通帳Ｐの表紙から見返しページまでの全ページを纏めて一度に一括で閉じることができたことになる。
【００６９】
その後は、図７（ｂ）（ｃ）に示すように通帳捲りバーＡ３１もホ−ムポジションに戻るように回動させることで、一括閉じ部１９の通帳一括閉じ動作は完了することになる。
【００７０】
尚、ホームポジションに戻す為の制御では、通帳捲りバー用検知センサーＢ３６の検知結果がオフからオンになったら、通帳捲りバーＢ３４がホームポジションに戻ったものと判定してモーターの駆動を停止する（それまでは通帳捲りバー用駆動モーターＢ３５によって反時計廻りに通帳捲りバーＢ３４を回動させる動作を続けることになる）。同様に、通帳捲りバー用検知センサーＡ３３の検知結果がオフからオンになったら、通帳捲りバーＡ３１がホームポジションに戻ったものと判定してモーターの駆動を停止する（それまでは通帳捲りバー用駆動モーターＡ３２によって時計廻りに通帳捲りバーＡ３１を回動させる動作を続けることになる）。
【００７１】
図８は、実施例２の通帳処理装置の構成図である。
実施例２の通帳処理装置（通帳処理ユニット４０）は、制御部４１、通帳挿入／放出口４２、通帳搬送路４３、磁気部４４、通帳発行カセット４５、通帳印字部４６、捲り部４７、ターン部４８、複数の搬送ローラ４９等を有する。
【００７２】
これら構成のうち、通帳挿入／放出口４２、通帳搬送路４３、磁気部４４、通帳発行カセット４５、通帳印字部４６、捲り部４７、ターン部４８、複数の搬送ローラ４９は、上記図１に示す通帳挿入／放出口１２、通帳搬送路１３、磁気部１４、通帳発行カセット１５、通帳印字部１６、捲り部１７、ターン部１８、複数の搬送ローラ２０と同じであってよく、その説明は省略する。通帳処理ユニット４０が上記通帳処理ユニット１０と異なる点は、まず、一括閉じ部１９が無い点である。実施例２では、一括閉じ部１９が無くても、従来に比べて通帳繰越し動作工数を短縮することができる。
【００７３】
また、制御部４１は、上記制御部１１とほぼ同様の制御動作を行うが、一括閉じ部１９が無いことに伴って一部の制御動作が制御部１１とは異なるものとなる。ここでは、主に制御部１１とは異なる制御動作について説明するものとし、制御部１１と同じ制御動作についてはその説明を簡略化または省略するものとする。
【００７４】
制御部４１による繰越し動作制御について（実施例２の繰越し動作について）、図９、図１０、図１１を参照して以下に説明する。
【００７５】
図９（ａ）〜（ｃ）、図１０（ａ）〜（ｃ）、図１１（ａ）〜（ｄ）は、実施例２の繰越し動作を説明する為の図（その１）（その２）（その３）である。
【００７６】
尚、図９（ｂ）（ｃ）、図１０（ａ）〜（ｃ）、図１１（ａ）〜（ｄ）では、図上の左側には通帳の状態（特に図９（ｃ）以降は上側から見た状態）を示し、図上の右側には制御部４１の処理フローチャートを示す。
【００７７】
まず、図９（ａ）には、通帳発行カセット４５に対する繰越し用の通帳Ｐ（発行通帳Ｐ）のセット方法を示すが、これは図２（ａ）と同じであり、ここでの説明は省略する。尚、符号が異なるが（１５と４５）、上記の通り、通帳発行カセット４５は通帳発行カセット１５と同じであってよい。
【００７８】
制御部４１は、通帳の繰越しを行うと判定したら、印字済みの通帳Ｐを排出／退避等した後、まず、図９（ｂ）に示すように通帳発行カセット４５から一冊の発行通帳Ｐを搬出して図９（ｃ）に示す状態とする（ステップＳ３１）。尚、図９（ｂ）（ｃ）は上記図２（ｂ）（ｃ）と同じであり、ステップＳ３１の処理は上記ステップＳ１１の処理と同じであってよいので、ここでの説明は省略する。
【００７９】
そして、図９（ｃ）に示す状態の発行通帳Ｐを捲り部４７へ搬送して、捲り部４７で正方向へ１ページのページ捲りを行わせる（ステップＳ３２）。これによって発行通帳Ｐは図１０（ａ）に示すように、見返しページが開いた状態で且つ上下逆の状態となっている。続いて、制御部４１は、ターン部４８によって発行通帳Ｐを水平方向に天地ターンし（上下を逆転する；ステップＳ３３）、更に通帳印字部４６により見返しページに対する所定の印字（口座番号と氏名を印字）を行わせる（ステップＳ３４；図１０（ｂ））。
【００８０】
尚、図１０（ａ）（ｂ）（ｃ）は上記図３（ａ）（ｂ）（ｃ）と同じであってよく、ステップＳ３２，Ｓ３３，Ｓ３４の処理は上記ステップＳ１２，Ｓ１３，Ｓ１４の処理と同じであってよい。
【００８１】
そして、実施例２の場合、上記図３（ｃ）、ステップＳ１５の処理の代わりに、図１０（ｃ）、ステップＳ３５の処理を行う点で、実施例１と異なる。
【００８２】
ステップＳ３５の処理では、制御部４１は、捲り部４７によって、発行通帳Ｐが表紙となるまで順次、１ページずつ逆方向に捲っていく。
【００８３】
そして、発行通帳Ｐがその表紙が上側（印字面）の状態となったら、この状態で制御部４１は、通帳印字部４６により表紙に対する所定の印字（口座番号と氏名を印字）を行わせる（図１１（ａ）；ステップＳ３６）。
【００８４】
続いて、制御部４１は、捲り部４７によって正方向への数ページ分（明細ページ群の先頭ページになるまで）のページ捲りを行わせ（図１１（ｂ）；ステップＳ３７）、通帳印字部４６により明細ページに対する印字（取引内容の印字）を行わせる（図１１（ｃ）；ステップＳ３８）。図示の例では、更に次のページへの印字も行わせて（図１１（ｄ）；ステップＳ３９、Ｓ４０）、最後に、この通帳Ｐを通帳挿入／放出口１２から放出して（ステップＳ４１）、繰越し処理を終了とする。
【００８５】
尚、図１１（ａ）（ｂ）（ｃ）（ｄ）及びステップＳ３６、Ｓ３７，Ｓ３８，Ｓ３９，Ｓ４０，Ｓ４１は、図４（ａ）（ｂ）（ｃ）（ｄ）及びステップＳ１６、Ｓ１７，Ｓ１８，Ｓ１９，Ｓ２０，Ｓ２１と同じであってよい。
【００８６】
上述した実施例２では、捲り部１７によるページ捲りの回数は、裏表紙から見返しページとする為の１回と、見返しページから表紙とする為の９回と、表紙から明細ページの先頭ページとする為の２回と、明細ページの先頭ページから次のページとする為の１回の合計１３回であり、従来の１７回に比べてページ捲り回数が少なくて済む。この１３回に、ターン部１８の天地ターン動作が加わっても、従来に比べて、工数が少なくて済み、以って短時間で繰越しが完了することになる。
【００８７】
以上説明したように、実施例２では、一括閉じ部１９が無くても、従来に比べて通帳繰越し動作工数を短縮することができる。
【００８８】
尚、磁気部１４、４４によって、通帳Ｐの磁気ストライプに対して所定のデータが記憶される動作も行われるが、この動作についての説明は省略する。
【００８９】
図１２（ａ）（ｂ）は、本例の通帳処理装置の制御装置の機能ブロック図である。
図１２（ａ）は、上記制御部１１の機能ブロック図である。
【００９０】
尚、図１２（ａ）には図示していないが、本例の通帳処理装置は、上記図１に示した通帳搬送路１３、磁気部１４、通帳発行カセット１５、通帳印字部１６、捲り部１７、ターン部１８、一括閉じ部１９、複数の搬送ローラ２０等を有している。
【００９１】
特に、繰越し用の通帳Ｐがセットされている通帳発行カセット１５と、通帳Ｐに対して任意の印字動作を行う通帳印字部１６と、通帳Ｐに対して一度に１ページのページ捲りを行う捲り部１７と、通帳Ｐに対して水平方向の天地ターン行うターン部１８と、開いた状態の通帳Ｐを一括で閉じる一括閉じ部１９を、有している。
【００９２】
制御部１１の処理機能は、概略的には例えば、まず、通帳発行カセット１５から繰り出された、裏表紙が印字面となっている通帳に対して、捲り部１７（ページ捲り部）とターン部１８により繰越時の特定印字対象ページ（本例では見返しページ）にして通帳印字部１６による印字を実行させる。続いて、通帳の表紙が印字面となるように一括閉じ部１９によって通帳を一括で閉じさせて該通帳の表紙に対して通帳印字部１６による印字を実行させる。その後、通帳の印字面が明細ページとなるまで、捲り部１７によって正方向へのページ捲りを複数回実行させて該明細ページに対して通帳印字部１６による印字を実行させる。
【００９３】
尚、繰越時の印字対象ページは、表紙、明細ページと、本例では見返しページであるが、これらの中で表紙と明細ページ以外のページ（本例では見返しページ）を特定印字対象ページと呼ぶものとする。
【００９４】
そして、詳細な例として図１２（ａ）に示す例では制御部１１は、第１制御部６１、第２制御部６２、第３制御部６３、第４制御部６４、第５制御部６５、第６制御部６６、第７制御部６７を有している。
【００９５】
第１制御部６１は、通帳発行カセット１５から繰り出された、裏表紙が印字面となっている通帳Ｐに対して、捲り部１７によりページ捲りを実行させることで所定の印字対象ページを出す。所定の印字対象ページは、上記一例では見返しページである。
【００９６】
第２制御部６２は、上記のように所定の印字対象ページが開かれた状態の通帳Ｐに対して、ターン部１８による水平方向での天地ターンを実行させる。
【００９７】
第３制御部６３は、上記天地ターン実行後の前記印字対象ページに対して、前記通帳印字部１６による印字を実行させる。
【００９８】
第４制御部６４は、上記第３制御部６３の制御による印字実行後、通帳Ｐの表紙が印字面となるように前記一括閉じ部１９によって通帳Ｐを一括で閉じさせる。
【００９９】
第５制御部６５は、第４制御部６４の制御によって閉じられた通帳Ｐの表紙に対して、前記通帳印字部１６による印字を実行させる。
【０１００】
第６制御部６６は、上記第５制御部６５の制御による印字実行後、通帳Ｐの印字面が表紙から明細ページとなるまで、前記捲り部１７によって正方向へのページ捲りを複数回実行させる。
【０１０１】
第７制御部６７は、該明細ページに対して前記通帳印字部１６による印字を実行させる。
【０１０２】
図１２（ｂ）は、上記制御部４１の機能ブロック図である。
尚、図１２（ｂ）には図示していないが、本例の通帳処理装置は、上記図１に示した通帳搬送路１３、磁気部１４、通帳発行カセット１５、通帳印字部１６、捲り部１７、ターン部１８、複数の搬送ローラ２０等を有している。
【０１０３】
制御部４１の処理機能は、概略的には例えば、まず、通帳発行カセット１５から繰り出された、裏表紙が印字面となっている通帳に対して、捲り部１７（ページ捲り部）とターン部１８により繰越時の特定印字対象ページ（本例では見返しページ）にして通帳印字部１６による印字を実行させる。続いて、通帳の表紙が印字面となるまで捲り部１７で逆方向へのページ捲りを複数回実行させて、該通帳の表紙に対して通帳印字部１６による印字を実行させる。その後、通帳の印字面が明細ページとなるまで、捲り部１７によって正方向へのページ捲りを複数回実行させて該明細ページに対して通帳印字部１６による印字を実行させる。
【０１０４】
そして、詳細な例として図１２（ｂ）に示す例では制御部４１は、第１制御部６１、第２制御部６２、第３制御部６３、第８制御部６８、第５制御部６５、第６制御部６６、第７制御部６７を有している。これら各制御部のうち第８制御部６８以外は図１２（ａ）に示す例では制御部１１と同じであってよく同一符号を付してあり、その説明は省略する。
【０１０５】
制御部４１が上記図１２（ａ）の制御部１１と異なる点は、第４制御部６４の代わりに第８制御部６８を有している点である。
【０１０６】
第８制御部６８は、上記第３制御部による印字制御が完了した後、捲り部１７によって逆方向へのページ捲りを複数回実行させることで、通帳の表紙が印字面となるようにする。
【０１０７】
尚、図１２（ｂ）の場合、第５制御部６５は、第８制御部６８の制御によって閉じられた通帳Ｐの表紙に対して、前記通帳印字部１６による印字を実行させることになる。
【０１０８】
以上説明したように、本手法によれば、裏表紙側に繰越し時の印字対象ページがあるタイプの通帳の繰越し動作の手間を軽減できる。繰越時に必要となるページ捲りの回数、すなわち繰越時の印字対象のページ全て（本例では表紙、見返しページ、明細ページ）に印字する為のページ捲りの回数を、従来に比べて少なくすることができ、以って通帳繰越しに掛かる時間を短縮することができる。特に一括閉じ部を有する実施例１の場合、繰越し時に必要となるページ捲りの回数を、従来に比べて格段に少なくすることができる。実施例２の場合、一括閉じ部が無くても、繰越し時に必要となるページ捲りの回数を、従来に比べて少なくすることができる。更に、ページ捲りの障害リスクの回避、部品の消耗が減り部品交換頻度が少なくなる等の効果も得られるようになる。
【符号の説明】
【０１０９】
１０  通帳処理ユニット
１１  制御部
１２  通帳挿入／放出口
１３  通帳搬送路
１４  磁気部
１５  通帳発行カセット
１６  通帳印字部
１７  捲り部
１８  ターン部
１９  一括閉じ部
２０  搬送ローラ
３１  通帳捲りバーＡ
３２  通帳捲りバー用駆動モーターＡ
３３  通帳捲りバー用検知センサーＡ
３４  通帳捲りバーＢ
３５  通帳捲りバー用駆動モーターＢ
３６  通帳捲りバー用検知センサーＢ
４０  通帳処理ユニット
４１  制御部
４２  通帳挿入／放出口
４３  通帳搬送路
４４  磁気部
４５  通帳発行カセット
４６  通帳印字部
４７  捲り部
４８  ターン部
４９  搬送ローラ
６１  第１制御部
６２  第２制御部
６３  第３制御部
６４  第４制御部
６５  第５制御部
６６  第６制御部
６７  第７制御部
６８  第８制御部
【図１】
2019128884.tif 000003
【図２】
2019128884.tif 000004
【図３】
2019128884.tif 000005
【図４】
2019128884.tif 000006
【図５】
2019128884.tif 000007
【図６】
2019128884.tif 000008
【図７】
2019128884.tif 000009
【図８】
2019128884.tif 000010
【図９】
2019128884.tif 000011
【図１０】
2019128884.tif 000012
【図１１】
2019128884.tif 000013
【図１２】
2019128884.tif 000014
【図１３】
2019128884.tif 000015
【図１４】
2019128884.tif 000016
【図１５】
2019128884.tif 000017
【図１６】
2019128884.tif 000018